(57)【要約】【課題】  無線機器を周辺デバイスにＵＳＢ接続する場合等でも、ＵＳＢデバイス側に電源ボックス等を設ける必要のない給電方法を提供する。【解決手段】  ホスト装置１とＵＳＢ等を介して接続された周辺デバイス３の各々に設けられ、互いにデータの授受を行う無線機器４、５のうち周辺デバイス３側の無線機器５へ給電するにあたり、周辺デバイス３の電源を介して無線機器５へ給電する。この際、無線機器２０に設けられた電源端子１６を備えたプラグ１３と、周辺デバイス３に設けられた電源端子１７を備えたコネクタ１４と、コネクタ１４及びプラグ１３を互いに接続するケーブル１９を介して給電すると、１本のケーブル１９での給電が可能となる。周辺デバイスからの電源供給用のケーブル等を介して給電するパスを設け、周辺デバイスから無線機器へ給電することにより、ＵＳＢホスト装置側からの給電が不要となる。【選択図】  図１
2005275822.tif 000002
【特許請求の範囲】
【請求項１】
ホスト装置と周辺デバイスの各々に設けられ、互いにデータの授受を行う無線機器のうち前記周辺デバイス側の無線機器へ給電する方法であって、
前記周辺デバイスの電源を介して該周辺デバイスに設けられた無線機器へ給電することを特徴とする無線機器への給電方法。
【請求項２】
前記周辺デバイスに設けられた無線機器へ前記周辺デバイスの電源を介して給電する際に、前記無線機器に設けられた電源端子を備えたプラグと、前記周辺デバイスに設けられた電源端子を備えたコネクタと、該コネクタ及びプラグを互いに接続するケーブルを介して給電することを特徴とする請求項１に記載の無線機器への給電方法。
【請求項３】
前記ホスト装置と周辺デバイスとを、ＵＳＢ（Universal Serial Bus）を介して接続することを特徴とする請求項１または２に記載の無線機器への給電方法。
【発明の詳細な説明】
【技術分野】
【０００１】
本発明は、無線機器への給電方法に関し、特に、ホスト装置とＵＳＢ（Universal Serial Bus）を介して接続されるＵＳＢデバイスに接続された無線機器側への給電方法に関する。
【背景技術】
【０００２】
パーソナルコンピュータ（以下、「ＰＣ」という）と、マウス、モデム、ジョイスティック等の周辺機器とを接続するデータ伝送路の規格の一つとしてＵＳＢが存在する。このＵＳＢ接続では、例えば、図４に示すように、ＵＳＢホスト装置（ＰＣ）１と、ＵＳＢデバイス（プリンタ）３とをＵＳＢケーブル２を介して接続する。
【０００３】
また、ＵＳＢデバイス３に接続される無線機器等へ給電する際には、ＵＳＢ仕様に規定されているように、ＵＳＢホスト装置１から給電を行うこととなっている。そのため、図５に示すように、ＵＳＢ接続の無線機器（ホスト装置側）４をＵＳＢホスト装置（ＰＣ）１に接続する場合には、ＵＳＢ接続の無線機器（ホスト装置側）４への給電は可能であるが、ＵＳＢ接続の無線機器（ＵＳＢデバイス側）５をＵＳＢデバイス（プリンタ）３に接続する際には、電源ボックス７を設け、ＡＣケーブル８をコンセントに接続し、電源ケーブル６をＵＳＢ接続の無線機器（ＵＳＢデバイス側）５に接続して給電していた。
【０００４】
例えば、特許文献１に記載のシリアル・バス・ハブを備えたモニタ・ベースは、回転自在にモニタを支持し、かつキーボード及びマウス等の周辺装置とのインターフェースのために複数のポートを有し、ＵＳＢ経由で無線周辺機器へ給電するにあって、ＵＳＢホスト装置であるモニタ・ベースから給電している。
【０００５】
【特許文献１】特開平１０−１５４５６０号公報
【発明の開示】
【発明が解決しようとする課題】
【０００６】
しかし、上記特許文献１に記載の無線機器への給電方法等においては、ＵＳＢデバイスからの給電のルートがないため、外部電源を用いて給電する必要があった。そのため、ＵＳＢデバイスに電源ボックス等を設ける必要があった。今後、無線通信用の各種機器を、ＰＣの延長として周辺デバイスにＵＳＢ接続する場合が増加することが考えられるため、ＵＳＢデバイスに電源ボックス等を設けなくとも無線機器に給電することができれば、設備コストを低減することができるとともに、配線が簡単なものとなって便利である。
【０００７】
そこで、本発明は、上記従来の無線機器への給電方法における問題点に鑑みてなされたものであって、無線機器を周辺デバイスにＵＳＢ接続する場合等でも、ＵＳＢデバイス側に電源ボックス等を設ける必要のない無線機器への給電方法を提供することを目的とする。
【課題を解決するための手段】
【０００８】
上記目的を達成するため、本発明は、ホスト装置と周辺デバイスの各々に設けられ、互いにデータの授受を行う無線機器へ給電する方法であって、前記周辺デバイスの電源を介して該周辺デバイスに設けられた無線機器へ給電することを特徴とする。
【０００９】
そして、本発明によれば、周辺デバイスに設けられた無線機器に対し、周辺デバイスの電源を介して給電するため、通常ホスト装置側から周辺デバイス側に対して給電するように構成されるシステムであっても、無線機器に対して周辺デバイスから直接給電することができ、無線機器に対する電源ボックス等を別途設けることが不要となる。
【００１０】
前記給電方法において、前記周辺デバイスに設けられた無線機器へ前記周辺デバイスの電源を介して給電する際に、前記無線機器に設けられた電源端子を備えたプラグと、前記周辺デバイスに設けられた電源端子を備えたコネクタと、該コネクタ及びプラグを互いに接続するケーブルを介して給電するようにすることができる。これによって、１本のケーブルのみによって周辺デバイスから無線機器への給電が可能となる。
【００１１】
前記給電方法において、前記ホスト装置と周辺デバイスとは、ＵＳＢ（Universal Serial Bus）を介して接続することができる。周辺デバイスからの電源供給用のケーブル及びプラグ等で給電を行うパスを設けること等により、周辺デバイスから、この周辺デバイスに設けられた無線機器への給電が可能となり、ＵＳＢホスト装置側からの給電が不要となる。
【発明の効果】
【００１２】
本発明によれば、無線機器を周辺デバイスにＵＳＢ接続する場合等でも、ＵＳＢデバイス側に電源ボックス等を設ける必要のない無線機器への給電方法を提供することができる。
【発明を実施するための最良の形態】
【００１３】
図１は、本発明にかかる無線機器への給電方法の第１の実施の形態を示し、ＰＣ１（以下、「ＵＳＢホスト装置」という）と、このＵＳＢホスト装置１とＵＳＢを介して接続される周辺機器としてのプリンタ（以下、「ＵＳＢデバイス」という）３とが、各々に付設された無線機器４、５を介してデータをＵＳＢホスト装置１からＵＳＢデバイス３に送信する場合を示している。
【００１４】
ＵＳＢデバイス３と無線機器（ＵＳＢデバイス側）５とは、電源供給用コネクタ１０及び供給電源用ケーブル／プラグ９を介して接続され、これらを介してＵＳＢデバイス３から給電を行うパスを設けることにより、無線機器（ＵＳＢデバイス側）５をＵＳＢデバイス３からの給電で動作させることができる。これによって、従来必要としていた電源ボックス７が不要となる。
【００１５】
図２は、本発明にかかる無線機器への給電方法の第２の実施の形態を示し、無線機器（ＵＳＢデバイス側）２０にＵＳＢホスト装置／周辺デバイス兼用ケーブル（以下、「兼用ケーブル」という）１９及びＵＳＢホスト装置／周辺デバイス兼用給電型ＵＳＢプラグ（以下、「兼用プラグ」という）１３を設け、ＵＳＢデバイス３に、ＵＳＢホスト装置／周辺デバイス兼用コネクタ（以下、「兼用コネクタ」という）１４を設け、無線機器（ＵＳＢデバイス側）２０とＵＳＢデバイス３とを接続し、ＵＳＢデバイス３からの給電で無線機器（ＵＳＢデバイス側）２０を動作させている。これによって、図１に示した供給電源用ケーブル／プラグ９が不要となり、無線機器（ＵＳＢデバイス側）２０をＵＳＢデバイス３に１本のケーブルのみで接続することができる。
【００１６】
兼用コネクタ１４については、図６に示すような従来のＵＳＢプラグ１１や、従来のＵＳＢコネクタ１２との互換性を保つため、図３に示すように、兼用プラグ１３には、ＧＮＤ端子１５と、電源端子１６とを配し、兼用コネクタ１４にも、電源端子１７とＧＮＤ端子１８を配し、兼用ケーブル１９を介して兼用プラグ１３と兼用コネクタ１４とを組み合わせることにより、無線機器２０に対して給電を可能としている。
【図面の簡単な説明】
【００１７】
【図１】本発明にかかる無線機器への給電方法の第１の実施の形態を説明するための概略斜視図である。
【図２】本発明にかかる無線機器への給電方法の第２の実施の形態を説明するための概略斜視図である。
【図３】本発明にかかる兼用給電型ＵＳＢプラグ（ａ）及び兼用コネクタ（ｂ）を示す一部破断斜視図である。
【図４】従来のＵＳＢ接続を説明するための概略斜視図である。
【図５】従来のＵＳＢインターフェース無線機器の給電方法を説明するための概略斜視図である。
【図６】従来のＵＳＢ接続のためのＵＳＢプラグとＵＳＢコネクタを示す概略正面図である。
【符号の説明】
【００１８】
１      ＵＳＢホスト装置（ＰＣ）
２      ＵＳＢケーブル
３      ＵＳＢデバイス（プリンタ）
４      ＵＳＢ接続の無線機器（ホスト装置側）
５      ＵＳＢ接続の無線機器（ＵＳＢデバイス側）
６      電源ケーブル
７      電源ボックス
８      ＡＣケーブル
９      ＵＳＢデバイスからの電源供給用ケーブル／プラグ
１０    ＵＳＢデバイスの電源供給用コネクタ
１３    兼用プラグ
１４    兼用コネクタ
１５    兼用プラグのＧＮＤ端子
１６    兼用プラグの電源端子
１７    兼用コネクタの電源端子
１８    兼用コネクタのＧＮＤ端子
１９    兼用ケーブル
２０    兼用コネクタ搭載の無線機器
【図１】
2005275822.tif 000003
【図２】
2005275822.tif 000004
【図３】
2005275822.tif 000005
【図４】
2005275822.tif 000006
【図５】
2005275822.tif 000007
【図６】
2005275822.tif 000008